(57)【特許請求の範囲】
【請求項１】
エアゾール噴射装置と収容物とを備え、前記エアゾール噴射装置が、エアゾール容器と、前記エアゾール容器内の前記収容物を噴射する噴射ノズルとを備えるエアゾール製品において、
前記収容物は、被噴射物と噴射剤とを含み、前記エアゾール容器内に収容されたものであり、
前記被噴射物は、血行促進効果が得られる育毛剤を含有するものであり、
前記噴射剤は、ジメチルエーテルを含む液化ガスであり、
前記ジメチルエーテルは、前記収容物１００重量％中の５０重量％以上であり、
前記噴射ノズルは、内側面へ気化制御部を備え、
前記気化制御部は、前記噴射ノズルの噴射口よりも奥側から前記噴射口へ向けて漸次内径を大きくする逆テーパー面であり、
前記噴射ノズルの軸方向について前記逆テーパー面の、前記噴射口側の端部を前記逆テーパー面の終端とし前記奥側の端部を前記逆テーパー面の始端として、
前記始端における逆テーパー面の内径は、０．１ｍｍ以上０．７ｍｍ以下であり、
前記終端における逆テーパー面の内径は、前記始端における逆テーパー面の内径の１．２〜１０倍であり、
前記始端と前記終端との間の間隔は、３ｍｍ以上４０ｍｍ未満であり、
前記被噴射物が棒状に噴射されるように構成されたことを特徴とするエアゾール製品。
【請求項２】
前記育毛剤は、ニコチン酸誘導体、ビタミンＥ類、センブリエキス、ニンジンエキス、アセチルコリン、イチョウエキス、γ-オリザノール、トウヒエキス、トウガラシチンキ、ショウキョウチンキ、セファランチン、塩酸ジフェンヒドラミンとからなる群から選択された少なくとも１種を含むことを特徴とする請求項１記載のエアゾール製品。
【請求項３】
前記被噴射物は、前記育毛剤として、ニンジンエキスとビタミンＥ類とセファランチンの少なくとも何れか１つを含むと共に前記収容物１００重量％中１０重量％以上の低級アルコールを含むことを特徴とする請求項１又は２に記載のエアゾール製品。
【請求項４】
前記終端における逆テーパー面の内径は、前記始端における逆テーパー面の内径の３倍以上５倍以下であることを特徴とする請求項１〜３の何れかに記載のエアゾール製品。
【請求項５】
エアゾール噴射装置と収容物とを備え、前記エアゾール噴射装置が、エアゾール容器と、前記エアゾール容器内の前記収容物を噴射する噴射ノズルとを備えるエアゾール製品の製造方法において、
前記収容物として被噴射物と噴射剤とを前記エアゾール容器内に収容する工程を含み、
前記被噴射物は、血行促進剤を含む育毛剤を含有するものであり、
前記噴射剤は、ジメチルエーテルを含む液化ガスであり、
前記ジメチルエーテルは、前記収容物１００重量％中の５０重量％以上であり、
前記噴射ノズルには、内側面へ気化制御部を備えたものを採用し、
前記気化制御部は、前記噴射ノズルにおける噴射口よりも奥側から前記噴射口へ向けて漸次内径を大きくする逆テーパー面であり、
前記噴射ノズルの軸方向について前記逆テーパー面の、前記噴射口側の端部を前記逆テーパー面の終端とし前記奥側の端部を前記逆テーパー面の始端として、
前記始端における逆テーパー面の内径を、０．１ｍｍ以上０．７ｍｍ以下に設定し、
前記終端における逆テーパー面の内径を、前記始端における逆テーパー面の内径の１．２〜１０倍に設定し、
前記始端と前記終端との間の間隔を、３ｍｍ以上４０ｍｍ未満に設定し、
前記被噴射物を棒状に噴射するエアゾール製品を得ることを特徴とするエアゾール製品の製造方法。
【請求項６】
噴射剤及び被噴射物を収容物とするエアゾール容器と、前記エアゾール容器内の前記収容物を噴射する噴射ノズルとを有するエアゾール噴射装置の使用方法において、
前記噴射ノズルには、内側面へ気化制御部を備えたものを採用し、
前記気化制御部は、前記噴射ノズルにおける噴射口よりも奥側から前記噴射口へ向けて漸次内径を大きくする逆テーパー面であり、
前記噴射ノズルの軸方向について前記逆テーパー面の、前記噴射口側の端部を前記逆テーパー面の終端とし前記奥側の端部を前記逆テーパー面の始端として、
前記始端における逆テーパー面の内径を、０．１ｍｍ以上０．７ｍｍ以下に設定し、
前記終端における逆テーパー面の内径を、前記始端における逆テーパー面の内径の１．２〜１０倍に設定し、
前記始端と前記終端との間の間隔を、３ｍｍ以上４０ｍｍ未満に設定し、
前記被噴射物として血行促進効果が得られる育毛剤を含むものと、前記噴射剤としてジメチルエーテルを含むものとを前記収容物として、前記エアゾール容器に充填し、
前記収容物１００重量％中５０重量％以上の前記ジメチルエーテルを充填し、
前記噴射ノズルから前記被噴射物を棒状に噴射することを特徴とするエアゾール噴射装置の使用方法。
【発明の詳細な説明】
【技術分野】
【０００１】
本発明は、エアゾール製品、その製造方法及びそのエアゾール噴射装置の使用方法に関する。
【背景技術】
【０００２】
被噴射物と噴射剤とを収容物とするエアゾール噴射装置を備えたエアゾール製品として、例えば育毛剤を被噴射物とし噴射剤である液化ガスにて噴射するものがある。
この一方で、育毛剤の有効成分を物理的に浸透させる方法として気圧を利用した浸透方法（特許文献１）やイオン浸透による方法（特許文献２）が提案されている。
育毛効果を高めるには血流を良くさせることが知られており、血行促進剤を配合した育毛剤は数多く提案されている（特許文献３，４）。
とりわけエアゾールタイプの育毛剤は数多く提案されており、血行促進剤と炭酸ガスを組み合わせた方法（特許文献５）や、有効成分とジメチルエーテルの組成物で製剤安定性を向上させたものがある(特許文献６，７）。
【先行技術文献】
【特許文献】
【０００３】
【特許文献１】特開２００６−１６７２１５
【特許文献２】特開２００９−２３３１０９
【特許文献３】特開２００５−２０６５３６
【特許文献４】特開２０１０−１００６６１
【特許文献５】特公昭６３−４７６８４
【特許文献６】特許第５００７８００号
【特許文献７】特許第５３７１２３５号
【発明の概要】
【発明が解決しようとする課題】
【０００４】
しかしながら特許文献１，２に示されたものは装置が大掛かりであり使用及び製品化が困難である。
また特許文献３，４に示されたものは血行促進成分を含む育毛剤組成物の提案に止まり、頭皮への塗布方法の提案はない。
更に特許文献５に示されたものは噴射剤が二酸化炭素即ち炭酸ガスのみで、細い棒状にしか吐出されず、また塗布しても上記炭酸ガスがすぐに抜けて液だけになってしまうので血行促進成分の浸透促進がなされず血行促進の効果が得られない。
特許文献６，７についても、上記の通り製剤安定性を向上させることを目的とするものであり、頭皮に育毛剤組成物を行き渡らせて血行促進を図るという観点はない。
【０００５】
冒頭述べた、育毛剤を被噴射物として噴射剤である液化ガスにて噴射するエアゾール製品の一般的なものとして、図２（Ａ）へ示す通り、上記育毛剤と液化ガスを収容物として収容するエアゾール容器（図示しない。）と、前記エアゾール容器の上部に取り付けられて、エアゾール容器の弁の開閉操作を行うことができる噴射ボタンｗ２と、噴射ボタンｗ２へ設けられた噴射ノズルｗ３とを有するエアゾール噴射装置ｗ１を備えたものを例示することができる。
上記一般的なエアゾール噴射装置ｗ１の噴射ノズルｗ３に、吐出口即ち噴射口ｗ５の口径を０．３ｍｍ〜１．６ｍｍとするピンを採用すれば、製造時に当該ピンの交換で成型が可能なため、上記噴射ノズルｗ３として当該ピンが汎用されている。
一般的なエアゾールの噴射剤ｈには、低沸点でＬＰＧに使用される、沸点４２．１℃のプロパン、沸点−１１．７℃のイソブタン、沸点−０．５℃のノルマルブタン、沸点−２４℃のジメチルエーテルを掲げることができる。噴射剤ｈは、上記エアゾール容器内では圧力が掛っているため液状であるが、外気に出た直後に気化するため、噴射剤ｈを多く含有すると噴射剤ｈは図２（Ａ）へ示す通り霧状に広がってしまう。このため被噴射物である育毛剤組成物も、噴射剤ｈと共に霧状に四散して頭髪に覆われた頭皮へ十分に届かないものとなっている。
【０００６】
この原因について、本発明の発明者は、次の点に着目した。
即ち図２（Ａ）へ示す通り、上記噴射ノズルｗ３先端の噴射口ｗ５と噴射ノズルｗ３基端の導入口ｗ４との間において、噴射口ｗ５側は導入口ｗ４側よりも内径の小さな小径部ｗ７となっている。更に噴射方向について、当該小径部ｗ７である区間では噴射ノズルｗ３内径は一定であり、また小径部ｗ７へ向け内径が絞られるまでの導入口ｗ４側を大径部ｗ６として当該大径部ｗ６である区間でも噴射ノズルｗ３内径は一定である。このため、噴射剤は噴射ノズルｗ３内で体積を拡大することができず液状のまま噴射ノズルｗ３内を移動し、噴射口ｗ５から開放され噴射ノズルｗ３の外部へ放出された途端一気に気化して霧状に広がるのである。
そこで第１に本発明は、エアゾール製品の噴射剤について放出後の一気に気化する現象を抑えて上記霧状に広がることを抑制できるエアゾール噴射装置を備えたものを提供して上記課題の解決を図る。
【０００７】
一方、上記エアゾール噴射装置を特に育毛剤の噴射に使用することに限ってみれば、噴射ノズルの工夫により単に噴射剤ｈの霧状の広がりを抑制して頭皮への到達を確実に行えるものとしても、噴射剤ｈであるジメチルエーテルの含有量を収容物の２０重量％以下にすると、当該広がり抑制のために頭皮へ到達した際に気化が不十分で液ダレを生じ、育毛剤の頭皮内部への浸透が十分になされない事態を招くことを、本発明の発明者は突き止めた（図１（Ｂ））。
また、この液ダレは、図２（Ａ）へ示すエアゾール噴射装置ｗ１についても、噴射剤ｈであるジメチルエーテルの含有量を収容物の２０重量％以下にすると、図２（Ｂ）へ示す通り気化が十分に行えず発生する。
【０００８】
上記液ダレについて詳しく述べると、図２に示す一般的な育毛剤を噴射するエアゾール製品には、被噴射物である育毛剤について上記霧状に広がることを抑え、頭皮まで育毛剤の薬剤を届かせるために、例えばエアゾール容器の収容物自体について、上記の通り当該収容物全体１００重量％中ジメチルエーテルを２０重量％に抑えたものがある。
しかし、噴射後気化する量に比して液量が多くなるため、頭皮に付着しても液ダレが多く、育毛剤が目に入るなどの不具合が生じるのである。また、液ダレを解消するために収容物１００重量％中、例えばジメチルエーテルを５０重量％とする噴射剤量の多いものもあるが、上記図２（Ａ）へ示す通り、霧状となり薬剤が毛髪に付着して頭皮まで届かない不具合がある。従って、育毛に供する血行促進成分が十分に頭皮に行き渡らないのである。
そこで第２に本発明は、上記噴射剤による育毛剤の霧状の広がりの抑制と育毛剤の上記液ダレ防止を両立したエアゾール製品を提供して上記課題の解決を図る。
【課題を解決するための手段】
【０００９】
本発明は、エアゾール噴射装置と収容物とを備え、前記エアゾール噴射装置が、エアゾール容器と、前記エアゾール容器内の前記収容物を噴射する噴射ノズルとを備えるエアゾール製品について次の構成を採るものを提供する。
即ち、前記収容物は、被噴射物と噴射剤とを含み、前記エアゾール容器内に収容されたものであり、前記被噴射物は、血行促進効果が得られる育毛剤を含有するものであり、前記噴射剤は、ジメチルエーテルを含む液化ガスであり、前記ジメチルエーテルは、前記収容物１００重量％中の５０重量％以上であり、前記噴射ノズルは、内側面へ気化制御部を備え、前記気化制御部は、前記噴射ノズルの噴射口よりも奥側から前記噴射口へ向けて漸次内径を大きくする逆テーパー面であり、前記噴射ノズルの軸方向について前記逆テーパー面の、前記噴射口側の端部を前記逆テーパー面の終端とし前記奥側の端部を前記逆テーパー面の始端として、前記始端における逆テーパー面の内径は、０．１ｍｍ以上０．７ｍｍ以下であり、前記終端における逆テーパー面の内径は、前記始端における逆テーパー面の内径の１．２〜１０倍であり、前記始端と前記終端との間の間隔は、３ｍｍ以上４０ｍｍ未満であり、前記被噴射物が棒状に噴射されるように構成されたものである。
また、本発明では、前記育毛剤は、ニコチン酸誘導体、ビタミンＥ類、センブリエキス、ニンジンエキス、アセチルコリン、イチョウエキス、γ-オリザノール、トウヒエキス、トウガラシチンキ、ショウキョウチンキ、セファランチン、塩酸ジフェンヒドラミンとからなる群から選択された少なくとも１種を含むエアゾール製品を提供できた。
更に、本発明では、前記被噴射物は、前記育毛剤として、ニンジンエキスとビタミンＥ類とセファランチンの少なくとも何れか１つを含むと共に前記収容物１００重量％中１０重量％以上の低級アルコールを含むエアゾール製品を提供できた。
また更に本発明では、前記終端における逆テーパー面の内径は、前記始端における逆テーパー面の内径の３倍以上５倍以下であるエアゾール製品を提供できた。
更にまた本発明では、エアゾール噴射装置と収容物とを備え、前記エアゾール噴射装置が、エアゾール容器と、前記エアゾール容器内の前記収容物を噴射する噴射ノズルとを備えるエアゾール製品の製造方法について、次の構成を採るものを提供できた。
即ち、前記収容物として被噴射物と噴射剤とを前記エアゾール容器内に収容する工程を含み、前記被噴射物は、血行促進剤を含む育毛剤を含有するものであり、前記噴射剤は、ジメチルエーテルを含む液化ガスであり、前記ジメチルエーテルは、前記収容物１００重量％中の５０重量％以上であり、前記噴射ノズルには、内側面へ気化制御部を備えたものを採用し、前記気化制御部は、前記噴射ノズルにおける噴射口よりも奥側から前記噴射口へ向けて漸次内径を大きくする逆テーパー面であり、前記噴射ノズルの軸方向について前記逆テーパー面の、前記噴射口側の端部を前記逆テーパー面の終端とし前記奥側の端部を前記逆テーパー面の始端として、前記始端における逆テーパー面の内径を、０．１ｍｍ以上０．７ｍｍ以下に設定し、前記終端における逆テーパー面の内径を、前記始端における逆テーパー面の内径の１．２〜１０倍に設定し、前記始端と前記終端との間の間隔を、３ｍｍ以上４０ｍｍ未満に設定し、前記被噴射物を棒状に噴射するエアゾール製品を得る。
また更に本発明では、噴射剤及び被噴射物を収容物とするエアゾール容器と、前記エアゾール容器内の前記収容物を噴射する噴射ノズルとを有するエアゾール噴射装置の使用方法について、次の構成を採るものを提供できた。
即ち、このエアゾール噴射装置の使用方法は、前記噴射ノズルには、内側面へ気化制御部を備えたものを採用し、前記気化制御部は、前記噴射ノズルにおける噴射口よりも奥側から前記噴射口へ向けて漸次内径を大きくする逆テーパー面であり、
前記噴射ノズルの軸方向について前記逆テーパー面の、前記噴射口側の端部を前記逆テーパー面の終端とし前記奥側の端部を前記逆テーパー面の始端として、
前記始端における逆テーパー面の内径を、０．１ｍｍ以上０．７ｍｍ以下に設定し、前記終端における逆テーパー面の内径を、前記始端における逆テーパー面の内径の１．２〜１０倍に設定し、前記始端と前記終端との間の間隔を、３ｍｍ以上４０ｍｍ未満に設定し、前記被噴射物として血行促進効果が得られる育毛剤を含むものと、前記噴射剤としてジメチルエーテルを含むものとを前記収容物として、前記エアゾール容器に充填し、前記収容物１００重量％中５０重量％以上の前記ジメチルエーテルを充填し、前記噴射ノズルから前記被噴射物を棒状に噴射する。
【発明の効果】
【００１０】
本発明は、噴射ノズルの内側面に気化制御部を備えることにより、噴射ノズルから噴射された液化ガスの急激な気化を抑制できたものである。
特に本発明は、上記気化制御部について、噴射ノズルの内側形状を上記逆テーパー面とすることによって形成し、噴射ノズルの通路内にて液化ガスを徐々に気化させることができる。
特に気化制御部を逆テーパー面とし、逆テーパー面に囲まれた空間について、噴射ノズルの奥側即ち噴射ノズルの導入口側から噴射口側へ向けて径を漸次大きくすることにて、当該空間を気化制御空間として、噴射口を通過するまで噴射剤の急激な気化を抑えつつ気化させることを可能としたのである。
言い換えると上記気化制御空間を噴射の助走区間として、気化により噴射剤の広がる範囲を噴射口に向けて徐々に広がる気化制御空間により予め規制しておくことにより、噴射剤が噴射口から外部へ放出された後も噴射剤の急激な気化にて被噴射物が一気に広がるのを抑制することができる。
従って、本発明を育毛剤の頭皮への塗布に利用することで、頭皮まで噴射剤と薬剤を勢いよく届かせることが可能となった。
また、本発明は、上記の急激な気化を抑制する制御の上で、薬剤中に血行促進成分を含有するものとし、ジメチルエーテルの配合量をエアゾール容器の収容物１００重量％中５０重量％以上とし、育毛剤の、頭皮への付着に必要な気化を伴った棒状の噴射を可能とし、頭皮での液ダレを抑えることで、頭皮への浸透性を高めて血流量を増加させたことを確認できた。
上記の通り、本発明は、噴射にてエアゾール容器から出た前記育毛剤と液化ガスの急激な広がりを抑制しつつ、有効成分の頭皮への浸透性を向上させる育毛剤組成物を採用して、特に血行促進効果を向上させ育毛効果を高めることができたものである。
特に、従来のエアゾール製品として、ジメチルエーテル或いはＬＰＧの混合噴射剤を２０％配合したものや、更に噴射の勢いの弱さをカバーするために窒素や炭酸ガスなどの圧縮ガスで加圧するものがあるが、何れも液量が多いため、前述の通り頭皮に付着しても液ダレが多く、当該液が目に入るなどの不具合があった。また、上記液ダレを解消するためにジメチルエーテル或いはＬＰＧの混合噴射剤を５０％配合したものがあるが、上述の通り噴射剤量が多いため霧状となり薬剤が毛髪に付着して頭皮まで届かないという不具合があった。本発明は上記の相反する問題を一挙に解決することができた。
【図面の簡単な説明】
【００１１】
【図１】（Ａ）は本発明に係るエアゾール製品において適切な噴射を行う状態を示すエアゾール噴射装置の要部断面図、（Ｂ）は（Ａ）に示すエアゾール噴射装置を用いて育毛剤を噴射する場合においてジメチルエーテルを収容物１００重量％中２０重量％以下として噴射した状態を示すエアゾール噴射装置の要部断面図。
【図２】（Ａ）は従来のエアゾール製品において噴射を行う状態を示すエアゾール噴射装置の要部断面図、（Ｂ）は（Ａ）に示すエアゾール噴射装置を用いて育毛剤を噴射する場合においてジメチルエーテルを収容物１００重量％中２０重量％以下として噴射した状態を示すエアゾール噴射装置の要部断面図。
【図３】（Ａ）は本発明のエアゾール噴射装置を用いて、上下に伸びる平らな面へ育毛剤を噴射した画像を示す説明図、（Ｂ）は従来のエアゾール噴射装置を用いて、上下に伸びる平らな面へ育毛剤を噴射した画像を示す説明図。
【図４】（Ａ）は本発明のエアゾール噴射装置により実際に育毛剤を噴射する前の頭皮の拡大画像を示す説明図、（Ｂ）は本発明のエアゾール噴射装置により実際に育毛剤噴射中の頭皮の拡大画像を示す説明図、（Ｃ）は（Ｂ）の噴射が終了した頭皮の拡大画像を示す説明図。
【図５】（Ａ）は従来のエアゾール噴射装置により実際に育毛剤を噴射する前の頭皮の拡大画像を示す説明図、（Ｂ）は従来のエアゾール噴射装置により実際に育毛剤噴射中の頭皮の拡大画像を示す説明図、（Ｃ）は（Ｂ）の噴射が終了した頭皮の拡大画像を示す説明図。
【発明を実施するための形態】
【００１２】
図面を参照して本発明の好適な実施の形態について説明する。
（基本構成）
図１（Ａ）へ示す通り、本発明に係るエアゾール製品は、エアゾール噴射装置１と、収容物（図示しない。）とを備える。
エアゾール噴射装置１は、前記収容物を収容するエアゾール容器（図示しない。）と、前記エアゾール容器へ取り付けられる噴射ボタン２と、噴射ボタン２へ設けられた噴射ノズル３とを備える。
先ずエアゾール噴射装置１の各部の構成について順に説明する。
【００１３】
（エアゾール容器）
エアゾール容器は、開閉弁と作動部を備える、周知のスプレー缶である（図示しない）。前記作動部が前記開閉弁を作動させる。上記の開閉弁は、逆止弁であり、前記作動部を作動させない限り閉弁してエアゾール容器内を閉鎖している。図示は省略するが、この例では、前記作動部は、エアゾール容器の上部から上方へ突出する筒状のテスムである。当該ステムを前記エアゾール容器へ向けて押し込むことにより、前記開閉弁が開弁し、中空の前記ステム内を通じて収容物を前記エアゾール容器の外へ導くことができる。
但し前記ステムは、前記エアゾール容器に対する出没動作にて前記開閉弁の開閉を行うものに限定するものではなく、例えば、エアゾール容器に対するステムの向きを変えることによって上記開閉弁の開閉を行うものを、前記ステムに採用することができる。
この例では、上記の通り、前記ステムは上下動にてエアゾール容器から出没することにより前記開閉弁の開閉を行う。
【００１４】
（噴射ボタン２）
噴射ボタン２は、作動部である前記ステムの先端に取り付けられる。噴射ボタン２を指先にて下方へ押し込むことにより、ステムを上述の通り前記エアゾール容器へ向けて押し込むことができる。
噴射ボタン２は、内部に連絡通路６を備える。噴射ボタン２が前記ステムの先端と接続されることにより、連絡通路６の一端が筒状の当該ステムの内部と連絡し、連絡通路６の他の一端が上記噴射ノズル３の基端側の導入口４と連絡する。
噴射ボタン２の操作即ち噴射ボタン２を押し下げ上記ステムを下方へ作動させることにより上記開閉弁を開弁する。当該開弁にて上記収容物がステムを通じて連絡通路６へ導かれ、上記収容物が連絡通路６から噴射ノズル３内へ送られる。
【００１５】
（噴射ノズル３）
噴射ノズル３は、中空で、内部に通路を備える。当該通路の伸びる方向を、噴射ノズル３の軸方向とする。
噴射ノズル３は、内側面へ気化制御部７を備える。気化制御部７は、この例では噴射ノズル３の上記通路の内側面に形成された逆テーパー面（以下必要に応じて逆テーパー面７と呼ぶ。）である。
逆テーパー面７は、噴射口５よりも奥側から噴射口５へ向けて漸次噴射ノズル３の内径を大きくする面である。逆テーパー面７は、先細りとなる凸状の、言い換えると錐台状のテーパー面（仮想面）と合致する、凹状の面即ちすり鉢状の面である。
特にこの例では、上記軸方向について噴射ノズル３の上記内側面のほぼ全域が逆テーバー面７をなしている。即ち、噴射ノズル１の軸方向について、噴射ノズル３の導入口４が逆テーパー面７の始端であり、噴射口５が逆テーパー面７の終端である。
噴射ノズル３は、前記逆テーパー面７に囲まれた空間を気化制御空間ｋとするものである。上記逆テーパー面７の始端が気化制御空間ｋの始点であり、上記逆テーパー面７の終端が気化制御空間ｋの終点である。
この例では、逆テーバー面７は、図１（Ａ）へ示す通り噴射ノズル３の軸方向に沿った断面において、輪郭を略直線とする。
逆テーパー面７は、気化制御空間ｋとして前記噴射剤の気化する空間を前記噴射口５へ向け徐々に広げることで、噴射により収容物がエアゾール容器外へ吐出されても前記噴射剤を一気に気化させずに徐々に気化させることを可能としたのである。
【００１６】
この例では、気化制御空間ｋの終点即ち逆テーパー面７の終端となる噴射口５の径は、気化制御空間ｋの始点即ち逆テーパー面７の始端となる導入口４の径の１．２倍以上１０倍未満であり、噴射口５と導入口４の間の間隔を３ｍｍ以上４０ｍｍ未満とする。
後の収容物の説明で詳しく述べる通り、液化ガスをジメチルエーテルとし、収容物全体１００重量％中当該ジメチルエーテルが２０重量％を超えるものとした場合において、逆テーパー面７の終端である噴射口５の径を、逆テーパー面７の始端である導入口４の径の１．２倍よりも小さいものとした場合と１０倍以上とした場合のいずれの場合も気化制御空間ｋによる気化制御の効果即ち逆テーパーの効果（図１（Ａ））は得られない。
また、噴射口５の径が導入口４の径の１．２倍以上１０倍未満の範囲にあっても、噴射口５と導入口４の間の間隔即ち噴射ノズル３の軸方向におけるテーパー面７の始端と終端間の間隔を３ｍｍ未満とすると、噴射ノズル３内での収容物の移動方向について気化制御空間ｋの長さが短く逆テーパーの効果が得られない。逆に噴射口５の径が導入口４の径の１．２倍以上１０倍未満の範囲にあっても、噴射口５と導入口４の間の間隔を４０ｍｍ以上とすると、噴射ノズル３において気化制御空間ｋに規制される助走区間が長すぎ、噴射ノズル３内の上記通路を通っている間に大気との間の抵抗により勢いが落ちて逆テーパーの効果（図１（Ａ））が得られない。
また気化制御空間ｋの始点の径即ち導入口４の口径は、０．１ｍｍ以上０．７ｍｍ以下とする。噴射口５と導入口４との上記寸法比率及び配置関係の範囲を満たし更に後述する液化ガスの含有比率が好ましい範囲にあっても、導入口４の口径が０．１ｍｍよりも小さいと収容物を十分な量噴射することができず、導入口４の口径が０．７ｍｍよりも大きいと噴射に必要な圧力を掛けて収容物を噴射することができない。
但し、噴射口５と導入口４との上記寸法及び配置関係が上記範囲を逸脱するものであっても、内容物の調整により噴射による適切な気化が行えるのであれば、上記範囲を逸脱したものを除外するものではない。
噴射口５と導入口４の間の間隔については、特に１０ｍｍ以上２０ｍｍ以下とするのが好ましい。また、噴射口５の径を特に導入口４の径の３倍以上５倍以下とするのが好ましい。導入口４の径については特に０．３ｍｍ以上０．７ｍｍ以下とするのが好ましい。その中でも上記導入口４に対する噴射口５の上記倍率に従うことを前提に、噴射口５の径が０．５ｍｍ以上３．０ｍｍ以下とりわけ噴射口５の径が１ｍｍ以上２ｍｍ以下の範囲に収まるように導入口４の径を定めるのが好ましい。
【００１７】
（収容物）
次に上記エアゾール容器へ収容される収容物について説明する。
収容物は、被噴射物と前記被噴射物を噴射する噴射剤とを有する。被噴射物は、噴射の目的とする有効成分を含有する。一方、噴射剤は、大気中に放出されることより膨張して被噴射物を吹き飛ばす周知のものである。具体的には、噴射剤には、エアゾール容器から解放されると一気に気化する液化ガスを採用することができる。
【００１８】
以下、上記被噴射物の有効成分を育毛剤とする場合について、説明する。
このエアゾール製品は、噴射剤としての上記液化ガスとしてはジエチルエーテルを主成分とし、前記収容物全体を１００重量％として、前記収容物中上記ジメチルエーテルを２０重量％より多く含む。
上記育毛剤は、血行促進剤を含むと共に低級アルコールを含む。
上記血行促進剤は、ニンジンエキスとビタミンＥ類とセファランチンを含むものが好ましい。
特に上記収容物は、当該収容物全体を１００重量％として、上記低級アルコールを１０重量％以上含むものとするのが好ましい。
また、上記血行促進剤と上記低級アルコールを含むエアゾール原液（即ち、被噴射物、以下同じ）に対して、上記ジメチルエーテルを３０重量%以上とするのが好ましい。
【００１９】
より具体的には、次の（Ａ）と（Ｂ）を含むエアゾール原液と次の（Ｃ）を含む収容物について、上述の図１（Ａ）へ示す噴射ノズル３内に逆テーパー面７を備えた噴射ボタン２を用いることで、当該（Ａ）〜（Ｃ）を含む収容物を頭皮への付着に必要な気化を伴った棒状に吐出できる。その結果当該（Ｃ）の成分の頭皮に対する密着が高められる。このようにして、当該(Ａ)の成分を頭皮から浸透を高めて血行促進効果が得られる育毛剤を含む収容物を採用することができる。      
【００２０】
（Ａ）血行促進剤として、ニコチン酸アミド、ニコチン酸ベンジル、ニコチン酸ｄｌ-α-トコフェロール等のニコチン酸誘導体、ｄｌ-α-トコフェロール、ｄ-α-トコフェロール、酢酸ｄｌ-α-トコフェロール、酢酸d-α-トコフェロールなどのビタミンＥ類、センブリエキス、ニンジンエキス、アセチルコリン、イチョウエキス、γ-オリザノール、トウヒエキス、トウガラシチンキ、ショウキョウチンキ、セファランチン、塩酸ジフェンヒドラミンが例示できる。これらは１種または２種以上併用することが可能である。これらのうち、ビタミンＥ類、ニンジンエキス、センブリエキス、セファランチンが特に好ましく、血行促進剤として少なくとも、ビタミンＥ類、ニンジンエキス、センブリエキス、セファランチンの全てが含まれるのが最も好ましい。血行促進剤の含有量は十分な育毛効果を得られる観点からエアゾール原液中の０．０００１〜１０重量％が好ましく、更に０．００１〜５重量％が好ましい。
【００２１】
（Ｂ）低級アルコールとしては、メタノール、エタノール、プロパノールを例示できる。即ち、炭素数１〜３の一価の低級アルコールが必須であり、特にエタノールが特に好ましい。低級アルコールの含有量は５重量％以上が好ましく、更に１０重量%以上が好ましい。５％未満であると塗布後の乾燥性が悪く、また次の（Ｃ）のジメチルエーテルとエアゾール原液の相溶性が悪くなる（ジメチルエーテルを５０重量％以上充填すると分離してしまう）。
【００２２】
（Ｃ）ジメチルエーテルは、エアゾール噴射剤で水にも低級アルコールにも溶解するため必須の噴射剤である。尚、ＬＰＧは水に溶解しないため必須ではない。ただし、ＬＰＧ、ＨＦ０−１２３４ｚｅ、ＨＣＦ−１５２ａなどの液化ガス、窒素、圧縮空気、二酸化炭素などの圧縮ガスを本願発明の目的を逸脱しない範囲において併用しても良い。
【００２３】
前述の通り噴射ノズル３の内側面に逆テーパー面７を設けて、噴射ノズル３内の内部通路にて液化ガスを徐々に揮散させることで液化ガスの広がりが調整され、噴射口５を通過しても噴射剤である当該液化ガスの急激な気化を抑えつつ適度な気化を伴うものとし、頭皮まで噴射剤と薬剤を勢いよく届かせることが可能となった。
また、薬剤を育毛剤とする場合、薬剤中に血行促進成分を含有するものとした上でジメチルエーテルの配合量を多くすると皮膚への浸透性を高められ血流量の増加が確認できた。
【実施例】
【００２４】
実施例及び比較例について説明する。
エアゾール原液として、精製水８０重量％、エタノール２０重量％の水性原液を調整し、表１へ試験１）、試験２）、試験３）として示す夫々の割合でエアゾール容器へジメチルエーテルと共に充填した。
そして、本発明の実施例では、上記図１（Ａ）へ示す逆テーパー面７を備えた噴射ノズル３を用いた。実施例において使用した噴射ノズル３は、導入口４の口径φを０．３ｍｍ、吐出口である噴射口５の口径φを２．０ｍｍとした。噴射ノズル３の軸方向について導入口４と噴射口５との間の全域を逆テーパー面７とした。
また、比較例として、図２へ示すノーマルノズル即ち従来の周知の噴射ノズルｗ３を用いたときの噴射状態を確認した。この比較例において、噴射口ｗ５の口径即ち小径部ｗ７の内径を０．４ｍｍとした。
【００２５】
【表１】
0005945364.tif 000002
本発明の実施例即ち図１へ示す逆テーパー面７を備えた噴射ノズル３（必要に応じて逆テーパーノズルと呼ぶ。）を備えたエアゾール噴射装置１は、試験１）２）３）の全てにおいて収容物を棒状に噴射した。しかし、図２へ示す従来の噴射ノズルｗ３（以下必要に応じてノーマルノズルと呼ぶ。）を備えたエアゾール噴射装置ｗ１は、試験２）３）へ示す通りジメチルエーテルを５０重量％以上配合すると霧状の噴射状態となった。
また、表２、表４及び表６へ示す育毛剤処方例１〜３を作成し、当該育毛剤処方例１〜３の組成物に上記試験１）〜３）の水性原液を置き換えて育毛剤エアゾールを作成し、被験者の頭皮の血流量の測定を行った。
表３は育毛剤処方例１を使用した場合の測定結果を、表５は育毛剤処方例２を使用した場合の測定結果を、表７は育毛剤処方例３を使用した場合の測定結果を夫々示している。
表３、表５及び表７において、左欄の項目中に「テ」を付したものは上記逆テーパーノズルを用いた本発明の実施例を示し、「ノ」を付したものは上記ノーマルノズルを用いた比較例を示す。
当該測定方法は、前腕内側中央部に育毛剤エアゾールを１０ｃｍ離して1秒間噴射し血流量の変化を確認するものであり、測定装置として、血流計「アドメテック  レーザードップラー ＡＬＦ２１ＲＤ」（商品名／株式会社アドメテック／愛媛県松山市空港通１丁目８番１６号）を使用した。
更にエアゾール噴射装置として上記ノーマルノズルを用い、原液９９重量％と炭酸ガス１重量％をエアゾール容器に充填して同様の試験を行った比較例を表８へ示す。尚、このノーマルノズルを用い表８へ結果を示す比較例において、エアゾールは棒状に噴射されたことを確認した。
【００２６】
【表２】
0005945364.tif 000003
【００２７】
【表３】
0005945364.tif 000004
【００２８】
【表４】
0005945364.tif 000005
【００２９】
【表５】
0005945364.tif 000006
【００３０】
【表６】
0005945364.tif 000007
【００３１】
【表７】
0005945364.tif 000008
【００３２】
【表８】
0005945364.tif 000009
【００３３】
ノーマルタイプを使用したものは試験１）の条件では棒状で吐出されるがジメチルエーテルの量が少なく、また薬剤は垂れてしまうため殆ど塗布面に残らない。このため育毛剤処方例１を使用した場合において上記表３へ示す通り、比較例の何れにおいても塗布後１２分を経過後の血流が１．６ｍｌ／ｍｉｎ（ミリリットル毎分）を超えるものはなく、血行促進効果が得られていないのに対し、逆テーパーノズルを用いたものにおいては、ジメチルエーテルを２０重量％とする１）−１テは１．８ｍｌ／ｍｉｎの血流であったものの、２）−１テ、３）−１テは夫々５．５ｍｌ／ｍｉｎ、５．２ｍｌ／ｍｉｎと、５ｍｌ／ｍｉｎを優に超える結果を得ている。
また育毛剤処方例２を使用した場合において上記表５へ示す通り、比較例については塗布後１２分経過で血流が１．６ｍｌ／ｍｉｎ（ミリリットル毎分）以下であったのに対し、逆テーパーノズルを用いたものにおいては、ジメチルエーテルを２０重量％とする１）−２テは１．７ｍｌ／ｍｉｎの血流であったものの、２）−２テ、３）−２テは夫々４．７ｍｌ／ｍｉｎ、４．２ｍｌ／ｍｉｎと、４ｍｌ／ｍｉｎを優に超える結果を得ている。
更に、育毛剤処方例３を使用した場合において上記表７へ示す通り、比較例については塗布後１２分経過で血流が１．２ｍｌ／ｍｉｎ（ミリリットル毎分）以下であったのに対し、逆テーパーノズルを用いたものにおいては、ジメチルエーテルを２０重量％とする１）−３テは１．６ｍｌ／ｍｉｎの血流であったものの、２）−３テ、３）−３テは夫々５．０ｍｌ／ｍｉｎ、４．２ｍｌ／ｍｉｎと、４ｍｌ／ｍｉｎを優に超える結果を得ている。
また、試験２）、試験３）の条件でジメチルエーテルの量を増やしたらノーマルノズルを用いると霧状で吐出されるため、ジメチルエーテルは塗布面に届くまでに多くが揮散され、血行促進効果が得られなかった。
逆テーパータイプを用いた場合上記の通り、試験１）の条件においては、ジメチルエーテルの量が少ないので上記ノーマルノズルを用いたものと大差ない結果である。一方試験２）及び試験３）の条件において逆テーパータイプを用いたものでは適切な気化を伴いつつ棒状に吐出されるため、ジメチルエーテルの頭皮に届く量が多く、また密着性が良く、棒状に噴射できて適切な気化を伴わないノーマルノズルで生じるような液ダレも少ないため、血行促進剤が肌に浸透し、血流量の増加が確認されたのである。
【００３４】
図３（Ａ）は上記本発明の実施例における逆テーパーノズルの噴射の状態を示すスーパースロー動画の１コマであり、図３（Ｂ）は上記比較例におけるノーマルノズルの噴射の状態を示すスーパースロー動画の１コマである。図３（Ａ）（Ｂ）において、図中右側から左側の平らな面へ向けてエアゾールが噴射されている。図３（Ａ）と図３（Ｂ）の何れもエアゾールは棒状に噴射されていることが確認できる。しかし、図３（Ｂ）へ示すノーマルノズルにより噴射されたエアゾールは上記面に当たって跳ね返りその多くが飛散して当該面へ殆ど付着していないことが確認できるのに対して、図３（Ａ）へ示す本発明の逆テーパーノズルにより噴射されたエアゾールは、その多くが跳ね返りなく上記面に付着して多重の波紋を呈していることが確認できる。
【００３５】
図４に本発明の上記逆テーパーノズルにて実際に育毛剤を噴射する被験者の頭皮を拡大して示し、図５へ上記ノーマルノズルにて実際に育毛剤を噴射する被験者の頭皮を拡大して示す。
詳しくは図４（Ａ）及び図５（Ａ）は何れも育毛剤の噴射前の被験者の頭皮を拡大した写真であり、棒状に見える複数の暗色の部分は被験者の頭髪である。図４（Ｂ）及び図５（Ｂ）は何れも、図４（Ａ）及び図５（Ａ）へ示す被験者の頭皮に対し育毛剤噴射中の状態を示す写真である。図４（Ｃ）及び図５（Ｃ）は何れも、図４（Ｂ）及び図５（Ｂ）の噴射が終了した状態の被験者の頭皮を示している。
図５（Ｂ）のノーマルノズルにて頭皮へ噴射されたエアゾールは細かな気泡が少なく流動的で液ダレが生じているのに対して、図４（Ｂ）の本発明の逆テーパーノズルにて頭皮へ噴射されてエアゾールは図５（Ｂ）の気泡よりも細かな気泡が多数頭皮に滞留していることが確認できる。
また、前述の図３（Ｂ）から頭皮へ噴射した場合ジメチルエーテルは殆ど頭皮に残らず、エアゾール噴射装置を用いずに育毛剤を頭皮に振った場合と変わらないことが確認できる一方で、図３（Ａ）及び図４（Ｂ）からエアゾールは跳ね返らず、ジメチルエーテルはエアゾール特有の細かな泡状になって頭皮に残ることが確認できる。図３及び図４に見られる現象が、上記表３、表５及び表７の結果を裏付けていることが分かる。
【００３６】
（小活）
既に述べた通り、従来より、ジメチルエーテル（もしくはＬＰＧの混合噴射剤）を２０％（勢いが弱いため窒素や炭酸ガスなどの圧縮ガスが加圧する場合がある）配合したものがあるが、液量が多いため頭皮に付着しても液ダレが多く目に入るなどの不具合がある。また、液ダレを解消するためにジメチルエーテル（もしくはＬＰＧの混合噴射剤）を５０％配合したものがあるが、上述のように噴射剤量が多いため霧状となり薬剤が毛髪に付着して頭皮まで届かない不具合がある。
本発明は、上記不具合を特に次のａ）〜ｄ）の構成を備えることにて、解決できた。
ａ）血行促進剤として、ニンジンエキス、ビタミンＥ類、セファランチンを必須の組成とする。
ｂ）低級アルコールを収容物１００重量％中１０重量％以上とする。
ｃ）ジメチルエーテルを、上記ａ）ｂ）のエアゾール原液及び当該ｃ）を含む収容物１００重量％中３０重量％含む。
ｄ）上記ａ）及びｂ）を含むエアゾール原液と上記ｃ）とを含む収容物とを図１（Ａ）へ示す噴射ノズル３に逆テーパー面７を備えた噴射ボタン２を用いることにてエアゾールを棒状に吐出する。
以上により、本発明は、ｃ）の成分の頭皮への密着が高められ、ａ)の成分を頭皮から浸透を高めて血行促進効果が得られる育毛剤のエアゾール製品を提供できたものである。
【００３７】
（変更例）
図１へ示す実施の形態において、逆テーパー面７は噴射ノズル３の導入口４を気化制御空間ｋの始点とするものとし、逆テーパー面７は、噴射ノズル３内部通路の内側面のほぼ全域に渡って設けるものとした。この他、上記適切な気化の制御が行えるものであれば、噴射ノズル３の導入口４よりも噴射口５寄りに逆テーパー面７の始端即ち気化制御空間ｋの上記始点を置くものとしても実施できる。噴射口５寄りに逆テーパー面７の始端を置く場合導入口４から当該始端までの間は、噴射ノズル３の内径を一定にすることができるし、或いは導入口４から当該始端に向け内径を狭めるものとしてもよい。
【００３８】
また上記適切な気化の制御が行えるものであれば上記の、収容物の移動方向となる軸方向について、逆テーパー面７の終端即ち気化制御空間ｋの終点を噴射口３と一致させるものに限定するものではなく、当該終点は噴射口５よりも上記始点側に寄ったものとし、当該終点と噴射口５間において噴射ノズル３の内径は、一定とすることができる。また、上記適切な気化の制御が行えるものであれば、上記噴射ノズル３の軸方向即ち噴射ノズル３内での収容物の移動方向について、逆テーパー面７を噴射ノズル３内に複数設けるものとしても実施できる。逆テーパー面７を複数設ける場合、逆テーパー面７同士において夫々噴射ノズル３の軸方向に対しなす角度を異なるものとすればよい。但し、逆テーパー面７同士間に噴射ノズル３の内径を一定とする区間を介するものとすれば、上記適切な気化の制御が行える範囲において、逆テーパー面７同士は上記角度を同じものとしても或いは異なるものとしても実施することができる。
【００３９】
また、上記逆テーパー面７は、噴射ノズル３の軸方向に沿った断面において輪郭を略直線とし、気化規制空間を略円錐状とするものであった。この他、逆テーパー面７は、適切な気化の規制が行えるものであれば、噴射ノズル３の軸方向に沿った断面において輪郭を曲線的にするものとしても実施できる。具体的には、当該輪郭を放物線とし気化規制空間ｋを釣鐘状とするものとしてもよく、或いは当該輪郭を引弧線とし気化規制空間ｋをラッパ状にするものとしてもよい。
【００４０】
更に、気化制御部７は上記の逆テーパー面７に限定するものではない。例えば図示した例のように気化制御部７を、噴射口５へ向けて導入口４側から漸次即ち連続して噴射ノズル３の通路の径を小さくするものとするのではなく、上記適切な気化の制御ができる範囲において、噴射口５の口径を上記通路の導入口４側の径よりも不連続に即ち断続的に大きくするものとしてもよい。例えば噴射ノズル３の側面を透視した状態に見て、階段のように複数の段差を以て噴射口５側へ上記通路の導入口４側から段階的に径を大きくするものとして実施できる。また、気化制御部７を複数の段数を持った階段状とする他、上記適切な気化の制御ができる範囲において、気化制御部７を１つのみ段差を持つものとすることができる。例えば、上記適切な気化の制御ができればよく、図２（Ｂ）の大径部ｗ６と小径部ｗ７の配置を逆にして実施する、即ち導入口４側を噴射口５側よりも内径の小さな小径部ｗ７とし小径部ｗ７より噴射口ｗ５側を大径部ｗ６とすることにて、気化制御部７を形成することができる。
【００４１】
また、軸方向について、気化制御部７全体として噴射口５側が導入口４側よりも通路の内径を増加する傾向を以て上記適切な気化制御をおこなえるものであれば、上記通路の局所において噴射口５側より導入口４側の径の大きな箇所があったとしても、このような形態を排除するものではない。
【００４２】
また更に、上記において、エアゾール製品は、被噴射物を育毛剤としたが、育毛剤以外の薬剤を被噴射物として収容し上記エアゾール噴射装置１にて噴射するものとしても実施するのを除外するものではない。
【００４３】
（育毛剤を被噴射物とする本発明に係るエアゾール製品の概括）
エアゾール噴射装置の噴射ノズル３は、内部に気化制御空間ｋを備え、噴射ノズル３は、噴射口５よりも奥側から噴射口５へかけて漸次内径を大きくする逆テーパー面７を内側面に備え、気化制御空間ｋは、逆テーパー面７に囲まれた空間であり、液化ガスはジメチルエーテルを含むものであり、収容物全体を１００重量％として、収容物中前記ジメチルエーテルが２０重量％より多く含まれるものであり、育毛剤は、ニンジンエキスとビタミンＥ類とセファランチンとを含むと共に収容物全体を１００重量％として、前記低級アルコールを１０重量％以上含むものであり、前記ニンジンエキスとビタミンＥ類とセファランチンと前記低級アルコールと前記ジメチルエーテルとの合計１００重量％中、前記ジメチルエーテルを３０重量%以上とする。
以上により、育毛剤及び液化ガスを収容物とするエアゾール容器と前記エアゾール容器内の育毛剤を前記液化ガスにて噴射するエアゾール噴射装置を備えた、エアゾール製品において、噴射により液化ガスが気化して一気に広がるのを防ぐと共に液ダレによる、育毛剤の頭皮における血行促進の低下を抑制できた。
即ち、図１（Ａ）及び図３（Ａ）へ示されたものと、図２（Ｂ）及び図３（Ｂ）とに示された棒状に噴射されたエアゾールは一見して同じに見えるものの、図１（Ａ）及び図３（Ａ）へ示す棒状に噴射されたエアゾールは、図２（Ｂ）及び図３（Ｂ）へ示す棒状に噴射されたエアゾールと異なる。図１（Ａ）及び図３（Ａ）へ示す棒状に噴射されたエアゾールは、図２（Ａ）を示すように一気に気化していないものの、適切に気化されたものであり、図４（Ｂ）と図５（Ｃ）へ示す現象、及び表３、表５、表７へ示す血行促進の効果の差となって表れている。
【符号の説明】
【００４４】
１  エアゾール噴射装置
２  噴射ボタン
３  噴射ノズル
４  （噴射ノズル３の）導入口
５  （噴射ノズル３の）噴射口  
６  （噴射ノズル３の）連絡通路
７  逆テーパー面（気化制御部）
ｈ  噴射剤
ｋ  気化制御空間
【要約】
【課題】  育毛剤を液化ガスで噴射するエアゾール噴射装置を備えたエアゾール製品において噴射中液化ガスが気化して一気に広がるのを防ぐと共に液ダレによる育毛剤の頭皮に対する血行促進の阻害を抑制する。
【解決手段】
エアゾール噴射装置の噴射ノズル３は気化制御部として噴射口５よりも奥側から噴射口５へかけて漸次内径を大きくする逆テーパー面７を内側面に備え、気化制御空間ｋは逆テーパー面７に囲まれた空間であり、液化ガスはジメチルエーテルを含み、収容物全体を１００重量％として収容物中前記ジメチルエーテルが２０重量％より多く含まれ、育毛剤はニンジンエキスとビタミンＥ類とセファランチンとを含むと共に収容物全体を１００重量％として前記低級アルコールを１０重量％以上含むものであり、ニンジンエキスとビタミンＥ類とセファランチンと低級アルコールとジメチルエーテルとの合計１００重量％中、ジメチルエーテルを３０重量%以上とする。
【選択図】  図１【図１】
0005945364.tif 000010
【図２】
0005945364.tif 000011
【図３】
0005945364.tif 000012
【図４】
0005945364.tif 000013
【図５】
0005945364.tif 000014